【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
物理量トランスデューサーからのフィードバック信号を受けて、前記物理量トランスデューサーを駆動する駆動回路と、
発振回路を有し、前記発振回路によりクロック信号を生成するクロック信号生成回路と、
前記クロック信号に基づく動作用信号により動作する回路を有し、前記物理量トランスデューサーからの検出信号が入力される検出回路と、
前記発振回路の発振周波数をｆｏｓとし、前記物理量トランスデューサーの駆動周波数をｆｄｒとし、ｉを１以上の整数とし、ｊを１以上の整数とし、前記動作用信号の周波数をｆｏｓ／ｉとした場合に、ｊ×ｆｄｒ≠ｆｏｓ／ｉとなるように前記発振周波数ｆｏｓを調整する周波数調整値を記憶する記憶部と、
を含むことを特徴とする回路装置。
【請求項２】
請求項１において、
前記記憶部は、
ｋを１以上の整数とした場合に、ｊ×ｆｄｒ≠ｋ×ｆｏｓ／ｉが、ｋ＝１のときに成り立ち、且つ、ｋが２以上の整数のときに成り立つように、前記発振周波数ｆｏｓを調整する前記周波数調整値を記憶することを特徴とする回路装置。
【請求項３】
請求項２に記載の回路装置において、
ｊ×ｆｄｒ＝ｋ×ｆｏｓ／ｉが成り立つときの前記発振周波数を干渉周波数とし、複数の前記干渉周波数のうち隣り合う干渉周波数を第１の干渉周波数、第２の干渉周波数とした場合に、
前記記憶部は、
前記第１の干渉周波数と前記第２の干渉周波数との間の周波数に前記発振周波数を設定する前記周波数調整値を記憶することを特徴とする回路装置。
【請求項４】
請求項３に記載の回路装置において、
前記第２の干渉周波数と隣り合う干渉周波数を第３の干渉周波数とし、
前記第１の干渉周波数と前記第２の干渉周波数との間の周波数範囲を第１の周波数範囲とし、
前記第２の干渉周波数と前記第３の干渉周波数との間の周波数範囲を第２の周波数範囲とした場合に、
前記記憶部は、
前記第１の周波数範囲及び前記第２の周波数範囲のうち広い方の周波数範囲に前記発振周波数を設定する前記周波数調整値を記憶することを特徴とする回路装置。
【請求項５】
請求項１乃至４のいずれか一項に記載の回路装置において、
前記検出回路には、前記物理量トランスデューサーである第１の物理量トランスデューサーからの第１の検出信号と、第２の物理量トランスデューサーからの第２の検出信号が入力されることを特徴とする回路装置。
【請求項６】
請求項５に記載の回路装置において、
前記第１の物理量トランスデューサーの前記駆動周波数を第１の駆動周波数ｆｄｒ１とし、前記第２の物理量トランスデューサーの前記駆動周波数を第２の駆動周波数ｆｄｒ２とし、ｍを１以上の整数とした場合に、
前記記憶部は、
ｊ×ｆｄｒ１≠ｆｏｓ／ｉ、且つ、ｍ×ｆｄｒ２≠ｆｏｓ／ｉとなるように前記発振周波数ｆｏｓを調整する周波数調整値を記憶することを特徴とする回路装置。
【請求項７】
請求項５又は６に記載の回路装置において、
前記検出回路は、
前記第１の検出信号に対応する第１の入力信号と前記第２の検出信号に対応する第２の入力信号のサンプリング動作を、前記動作用信号であるサンプリングクロック信号に基づいて行うＡ／Ｄ変換回路を含むことを特徴とする回路装置。
【請求項８】
請求項１乃至７のいずれか一項に記載の回路装置において、
前記回路部は、
前記動作用信号である動作クロック信号に基づいて、デジタルフィルター処理を行うデジタル信号処理部を含むことを特徴とする回路装置。
【請求項９】
請求項１乃至８のいずれか一項に記載の回路装置において、
前記記憶部は不揮発性メモリーであることを特徴とする回路装置。
【請求項１０】
第１の物理量トランスデューサーからの第１のフィードバック信号を受けて、前記第１の物理量トランスデューサーを駆動し、第２の物理量トランスデューサーからの第２のフィードバック信号を受けて、前記第２の物理量トランスデューサーを駆動する駆動回路と、
発振回路を有し、前記発振回路によりクロック信号を生成するクロック信号生成回路と、
前記クロック信号に基づく動作用信号により動作する回路を有し、前記第１の物理量トランスデューサーからの第１の検出信号と前記第２の物理量トランスデューサーからの第２の検出信号が入力される検出回路と、
を含み、
前記発振回路の発振周波数をｆｏｓとし、前記第１の物理量トランスデューサーの駆動周波数を第１の駆動周波数ｆｄｒ１とし、前記第２の物理量トランスデューサーの駆動周波数を第２の駆動周波数ｆｄｒ２とし、ｉを１以上の整数とし、ｊを１以上の整数とし、ｍを１以上の整数とし、前記動作用信号の周波数をｆｏｓ／ｉとした場合に、
ｊ×ｆｄｒ１≠ｆｏｓ／ｉ、且つ、ｍ×ｆｄｒ２≠ｆｏｓ／ｉとなるように前記発振周波数ｆｏｓが調整されていることを特徴とする回路装置。
【請求項１１】
請求項１０に記載の回路装置において、
前記駆動回路は、
第３の物理量トランスデューサーからの第３のフィードバック信号を受けて、前記第３の物理量トランスデューサーを駆動し、
前記検出回路には、
前記第３の物理量トランスデューサーからの第３の検出信号が入力され、
前記第３の物理量トランスデューサーの駆動周波数を第３の駆動周波数ｆｄｒ３とし、ｐを１以上の整数とした場合に、
ｊ×ｆｄｒ１≠ｆｏｓ／ｉ、ｍ×ｆｄｒ２≠ｆｏｓ／ｉ、且つ、ｐ×ｆｄｒ３≠ｆｏｓ／ｉとなるように前記発振周波数ｆｏｓが調整されていることを特徴とする回路装置。
【請求項１２】
請求項１１において、
ｋを１以上の整数とし、ｎを１以上の整数とし、ｑを１以上の整数とした場合に、
ｊ×ｆｄｒ１≠ｋ×ｆｏｓ／ｉ、ｍ×ｆｄｒ２≠ｎ×ｆｏｓ／ｉ、且つ、ｐ×ｆｄｒ３≠ｑ×ｆｏｓ／ｉとなるように前記発振周波数ｆｏｓが調整されていることを特徴とする回路装置。
【請求項１３】
請求項１乃至１２のいずれか一項に記載の回路装置を含むことを特徴とする電子機器。
【請求項１４】
請求項１乃至１２のいずれか一項に記載の回路装置を含むことを特徴とする移動体。
【請求項１５】
物理量トランスデューサーと回路装置を有する物理量検出装置の製造方法であって、
前記物理量トランスデューサーからのフィードバック信号を受けて、前記物理量トランスデューサーを駆動する駆動回路と、発振回路を有し、前記発振回路によりクロック信号を生成するクロック信号生成回路と、前記クロック信号に基づく動作用信号により動作する回路を有し、前記物理量トランスデューサーからの検出信号が入力される検出回路と、を含む前記回路装置を製造する工程と、
前記発振回路の発振周波数をｆｏｓとし、前記物理量トランスデューサーの駆動周波数をｆｄｒとし、ｉを１以上の整数とし、ｊを１以上の整数とし、前記動作用信号の周波数をｆｏｓ／ｉとした場合に、ｊ×ｆｄｒ≠ｆｏｓ／ｉとなるように前記発振周波数ｆｏｓを調整する周波数調整工程と、
を含むことを特徴とする物理量検出装置の製造方法。
【請求項１６】
第１、第２の物理量トランスデューサーと回路装置を有する物理量検出装置の製造方法であって、
前記第１の物理量トランスデューサーからの第１のフィードバック信号を受けて、前記第１の物理量トランスデューサーを駆動し、前記第２の物理量トランスデューサーからの第２のフィードバック信号を受けて、前記第２の物理量トランスデューサーを駆動する駆動回路と、発振回路を有し、前記発振回路によりクロック信号を生成するクロック信号生成回路と、前記クロック信号に基づく動作用信号により動作する回路を有し、前記第１の物理量トランスデューサーからの第１の検出信号と前記第２の物理量トランスデューサーからの第２の検出信号が入力される検出回路と、を含む前記回路装置を製造する工程と、
前記発振回路の発振周波数をｆｏｓとし、前記第１の物理量トランスデューサーの駆動周波数を第１の駆動周波数ｆｄｒ１とし、前記第２の物理量トランスデューサーの前記駆動周波数を第２の駆動周波数ｆｄｒ２とし、ｉを１以上の整数とし、ｊを１以上の整数とし、ｍを１上の整数とし、前記動作用信号の周波数をｆｏｓ／ｉとした場合に、ｊ×ｆｄｒ１≠ｆｏｓ／ｉ、且つ、ｍ×ｆｄｒ２≠ｆｏｓ／ｉとなるように前記発振周波数ｆｏｓを調整する周波数調整工程と、
を含むことを特徴とする物理量検出装置の製造方法。